(57)【要約】  この発明は、トラフ（１８）を有する歯の基底面（１６）を備えていてセラミック、複合材、あるいは樹脂から製造される歯に関する。特に楕円形あるいは円形のトラフ（１８）を基底面（１６）に対して適合させ、隣接する基底面（１６）に対して少なくとも部分的に４５°超、特に６０°あるいは７０°超の角度で延在するトラフ側面（２２，２４）を備える。【選択図】図１
2016504081.tif 000002
【特許請求の範囲】
【請求項１】
トラフ（１８）を有する歯の基底面（１６）を備えていてセラミック、複合材、あるいは樹脂からモールド内で製造される歯であり、特に楕円形あるいは円形のトラフ（１８）を基底面（１６）に対して適合させ、隣接する基底面（１６）に向かって少なくとも部分的に４５°超、特に６０°あるいは７０°超の角度で延在するトラフ側面（２２，２４）を備えることを特徴とする歯。
【請求項２】
トラフ（１８）が実質的に鉢形状に形成され、実質的に平坦なトラフ底部（２６）を備えていて、そのトラフ底部が周囲の基底面（１６）に対して窪んでいて実質的にそれに対して平行に延在し、さらに実質的に前記トラフ底部（２６）に対して垂直に延在するトラフ側面（２２，２４）を備えることを特徴とする請求項１記載の歯。
【請求項３】
トラフ側面（２２，２４）がトラフ底部（２６）に隣接して少なくとも部分的に６０°あるいは７０°超の角度で、特に略直角に延在することを特徴とする請求項１または２記載の歯。
【請求項４】
少なくとも１面のトラフ側面（２２，２４）が特に所与の保留力を提供するように形成された少なくとも１個の切下げを備え、前記切下げがトラフ側面（２２，２４）上の所与の高さで形成されることを特徴とする請求項１ないし３のいずれかに記載の歯。
【請求項５】
少なくとも部分的に凸面形に形成されたトラフ底部（２６）をトラフ（１８）が備え、凸面性の半径が基底面（１６）の最大延長の少なくとも５０％となり、特に基底面（１６）の最大面積の１００％超となることを特徴とする請求項１ないし４のいずれかに記載の歯。
【請求項６】
トラフ底部（２６）が空間内で三次元に延在して不連続部分を伴わない面として形成されることを特徴とする請求項１ないし５のいずれかに記載の歯。
【請求項７】
基底面（１６）とトラフ側面（２２，２４）の間の接続部が中空スロートとして形成され、それがトラフ（１８）の深さより著しく小さく、特に約１０分の１から３分の１である半径を有することを特徴とする請求項１ないし６のいずれかに記載の歯。
【請求項８】
トラフ（１８）が平坦であるかまたは必要に応じて波打ち、特にＳ字形に波打って延在するトラフ底部（２６）を備え、また特に前記トラフ底部（２６）ならびに取り囲んだ基底面（１６）の両方が実質的にＳ字形に波打つことを特徴とする請求項１ないし７のいずれかに記載の歯。
【請求項９】
トラフ（１８）の周囲で見てトラフ側面（２２，２４）の高さが実質的に均一であり、特にトラフ（１８）がその延長にわたって両次元において実質的に一定の深さを有することを特徴とする請求項１ないし８のいずれかに記載の歯。
【請求項１０】
トラフ（１８）が基底縁面（２０）によって取り囲まれ、その基底縁面の幅がトラフ周囲の延長で見て実質的に均一になり、その際特にその幅が平均幅の約４０％と平均幅の約２００％の間、好適には７５ないし１５０％の間で変動することを特徴とする請求項１ないし９のいずれかに記載の歯。
【請求項１１】
トラフ（１８）が基底縁面（２０）によって取り囲まれ、その基底縁面の最小幅が前記トラフ（１８）の深さに略相当していて特に約１ｍｍとなるか、またはその深さを３０％下回るかあるいは上回るものとなることを特徴とする請求項１ないし１０のいずれかに記載の歯。
【請求項１２】
トラフ（１８）が基底縁面（２０）によって取り囲まれ、その基底縁面の幅がトラフ（１８）の半径方向に見てトラフの半径より小さくなり、その際その幅が臼歯の場合トラフ（１８）の周囲延長にわたって変動することを特徴とする請求項１ないし１１のいずれかに記載の歯。
【請求項１３】
トラフが基底縁面（２０）によって取り囲まれ、その基底縁面の幅がトラフ（１８）の半径方向に見てトラフの半径より小さくなり、その際その幅が切歯の場合トラフ（１８）の周囲延長にわたって実質的に不変であることを特徴とする請求項１ないし１０のいずれかに記載の歯。
【請求項１４】
トラフ（１８）が基底面（１６）のうち少なくとも歯の容積の２０分の１に相当する容積を除外することを特徴とする請求項１ないし１３のいずれかに記載の歯。
【請求項１５】
トラフ（１８）がそれのトラフ中央部をもって実質的に基底面（１６）の中央に配置され、基底面（１６）の縁部に対して約０．８ないし１．５ｍｍの一定形状の縁部距離を有することを特徴とする請求項１ないし１４のいずれかに記載の歯。
【請求項１６】
相互に適応するがそれぞれ異なった大きさを有する請求項１記載の歯から形成される歯セット。
【請求項１７】
歯セット内でトラフ直径が多様であってそれぞれ存在する歯の大きさに適応し、従って基底縁面（２０）の幅が実質的に均一であることを特徴とする請求項１６記載の歯セット。
【請求項１８】
窪みが基底面（１６）に対して横断方向に延在し、実質的に基底面に対して直角に延在するとともに工具収容のための切下げを形成することを特徴とする、基底面と少なくとも１個の窪み部を備えたセラミック、複合材、あるいは樹脂製の歯。
【請求項１９】
切下げが基底部トラフ（１８）の内側に形成されるかあるいは基底部トラフ（１８）に隣接して形成されることを特徴とする請求項１８記載の歯。
【発明の詳細な説明】
【技術分野】
【０００１】
この発明は、請求項１前段に記載の歯、ならびに請求項１７前段に記載の歯科補綴部材に関する。
【背景技術】
【０００２】
例えばセラミック、また樹脂あるいは複合材料等の多様な材料から製造された人工歯を歯科補綴部材として使用することが古くから知られている。この種の歯はクラウンの一部とするか、あるいはアバットメントおよびインプラントを介して患者の口内に使用することができる。その種の歯を製造するために、意図的に自然な印象を持たせるために通常（自然歯に似せて）多様な形状を歯に与えるモールドが使用される。その歯はさらに部分的に研削され、また歯に半透明性の外観を持たせるために通常さらに複数層から形成される。しばしばその後着色料によって後処理される。
【０００３】
歯列を形成する歯の製造は既に１８、１９世紀から開発されている。それらは通常基礎面とも呼ばれる下面で固定され、大抵は接着するかあるいは追加的に埋め込み固定され、その際適宜な孔が機械的な固定を形成する。
【０００４】
９０年代末頃から、基礎面の緩やかな低没として形成されるとともにそれに対応する対向形状を介して例えば接着による固定を可能にするために適した、いわゆる基底部トラフが開発されている。その際、接着剤の塗付に加えてさらにある程度の後調整が可能であることが好適であり、すなわち所要の角度設定の精密な調節ならびに空間内でのその他の位置調節が可能であることが好適である。
【０００５】
その種の湾曲させた基底部トラフが古くから一般的であり、それに関して例えば独国特許出願公開第１９８２９６３９号Ａ１明細書（図４ならびに参照符号１２ａ参照）および独国特許出願公開第１９９４５３５４号Ａ１明細書を引用することができる。同種の歯のさらに別の例は、本願出願人によるＳＲオーソシットである。
【０００６】
歯は無数の異なった大きさおよび形状で製造する必要がある。その点に関して子供の前歯と大人の臼歯を比較すると；容積についての差が５倍以上となり得る。
【０００７】
それによって製造に際して相当に強力な位置固定と相当に高いコストが要件となる。
【０００８】
製造を革新するために、一般的に多数の歯、例えば２８本の歯をモールド内の適宜なモールド空洞内で同時に製造し型出しに際して分離する。型出しに際して個々の歯を適正に整理する必要があり、そのために極めて高コストな手作業が必要になる。
【発明の概要】
【発明が解決しようとする課題】
【０００９】
従って本発明の目的は、周知の歯の良好な外観的および強度特性を損なうことなく取り扱い容易性ならびに加工性について最適化された請求項１前段に記載の歯ならびに対応する歯セットを提供することである。
【課題を解決するための手段】
【００１０】
前記の課題は本発明に従って請求項１によって解決される。好適な追加構成が従属請求項によって明らかにされる。
【００１１】
本発明によれば、基本的に鉢形状のトラフ、すなわち明確なトラフ側面と実質的にその側面に対して直角に延在するトラフ基底部を有するトラフを提供することが好適である。その種の基底部付鉢形状は、例えば塗装および鋳造エッジの研削に際しての歯の確実な収容、ならびに多数配列で鋳造された歯の片側モールドからの型出しに際しての確実な位置固定を可能にするため、多機能である。片側モールドを開放する際に上側の片側モールドへの付着のためにしばしば歯が毀れ落ちそれによって面倒な手作業による整理が必要になるのに対し、前記の基底部付鉢形状はいわばモールド内の一種の固定具のように作用する。そのように歯が確実に整理されて滞留するため、機械による分別も可能である。
【００１２】
本発明に係る基底部付鉢形状によって驚くほど簡便な方式で収容の標準化を達成することができ、勿論歯の大きさに従って段階化される。非円形の基底部鉢形状を有する本発明に係る特殊な鉢形状によって、いわば自動的に回転ずれ防止機能が得られるとともに基底部付トラフの保留性が改善される。
【００１３】
さらに、三層あるいは多層の歯の場合、象牙質材料の領域で基底部鉢形状が鋳造されていてエナメル質材料の半透明効果が完全に保持されるようにされることが好適である。この点に関して好適な追加構成によれば、基底縁面、すなわち基底部鉢形状を取り囲む基底面の面部分が実質的に均一な幅を有し従って基底部鉢形状が歯の外郭に準ずるようにすることが好適である。
【００１４】
射出成形に際して歯を“垂直に”形成することによって低コストかつ容易に層を任意の層厚に塗付することができ、その際層厚は周知の方式により選択された逆側型までの射手成形キャビティに相当し、また層の形成は単に基底部鉢形状を取り囲む歯の基底領域に基づいて達成され、さらに第１の層が基底部鉢形状をも取り囲む。
【００１５】
本発明によれば、前記基底部鉢形状が隣接する基底縁面の部分から見て基底面に向かって均等な深さで延在すると同時に前記基底縁面が同じ幅であることが好適である。このことによって自動的に、基底部鉢形状の非円形の形成につながり、その際該当する歯が非円形であることが前提となる。
【００１６】
好適な構成形態によれば、トラフ側面内に切下げあるいは突出部が設けられ、それによってさらに良好な保留性が可能になる。別の好適な構成形態によれば、基底面とトラフ側面の間の接続部が中空スロートとして形成される。
【００１７】
好適な構成形態によれば、トラフ（１８）が基底縁面（２０）によって取り囲まれ、その基底縁面の最小幅が前記トラフ（１８）の深さに略相当していて約１ｍｍとなるか、またはその深さを３０％下回るかあるいは上回るものとなる。
【００１８】
好適な構成形態によれば、トラフ（１８）が基底面（１６）のうち少なくとも歯の容積の２０分の１に相当する容積を除外する。
【００１９】
好適な構成形態によれば、窪みが基底面（１６）に対して横断方向に延在し、実質的に基底面に対して直角に延在するとともに工具収容のための切下げを形成する。
【００２０】
本発明のその他の詳細、特徴、ならびに種々の利点は、添付図面を参照しながら以下に記述する実施例の説明によって明らかにされる。
【図面の簡単な説明】
【００２１】
【図１】第１の実施形態に係る歯を概略的に示した断面図である。
【図２】図１の歯を部分的に切断した立体図である。
【図３】本発明に係る臼歯の第２の実施形態を示した底面図である。
【図４】図３の臼歯を示した横断面図である。
【図５】本発明に係る歯の第３の実施形態に係る切歯を示した底面図である。
【図６】図５の切歯を部分的に切断した側面図である。
【発明を実施するための形態】
【００２２】
図１に示された歯１０は、周知の通りに２つの突起１２と１４を備える。歯の底面、すなわち前記突起１２および１４の反対側に、基底面１６が延在する。この基底面は元々（すなわち本発明に関わらず）中央が凹んでおり従って凹面形に形成される。基底面１６内には鉢形状の窪み部として本発明に係る基底部トラフ１８が切り込まれており、これは独特な方式で形成されている。
【００２３】
基底部トラフの側方に基底縁面２０が、原則的に基底部トラフ１８を取り囲んで、また実質的に均一な幅をもって延在する。基底縁面２０にトラフ側面２２あるいは２４が接続する。これは図１の描写において基底縁面２０に対して左側領域で、すなわちトラフ側面２４として前記基底縁面に対して約７５°の角度で延在し、また右側領域においてはトラフ側面２２としてその部分の基底縁面２０に対して約５０°の角度で延在する。
【００２４】
トラフ側面２２および２４に隣接してトラフ底部２６が形成される。このトラフ底部はトラフ側面２２に隣接して対応角を形成しながらその部分でトラフ側面２２に対して約５０°の角度で延在し、またトラフ側面２４に隣接してトラフ底部２６は約４５°の角度で延在する。このことは、基底縁面２０がトラフ側面２４の領域内でより大きく湾曲し、従って基底部トラフ１８の窪み度合いのため、またそれによって生じる内側、すなわち歯軸の方向への変位のため、トラフ側面２４とトラフ底部２６の間の角度がその位置でより小さくなるためである。
【００２５】
しかしながら原則的に、トラフ底部２６はその延長において基底面１６に追随する。それに従って基底部トラフ１８はその総延長にわたって実質的に同じ深さになり、図面中においてトラフ底部２６の外郭が基底縁面２０に追随する。
【００２６】
図１および図２の実施形態において、内側に突立するリブ３０と内側に突立するリブ３２がトラフ側面２２および２４上に形成され、それらがそれぞれ切下げを形成する。それに代えて、その他の任意の切下げを形成する形状とすることができることは勿論である。リブ３０および３２が歯１０のさらに良好な固定を可能にする。
【００２７】
基底部トラフ１８は円形、ならびに楕円形から著しく逸脱した形状を有する。このことは図２に明確に示されている。そこにはさらにリブ３２が示されており、そのリブがいわば基底部トラフ１８の端面全体にわたって延在することが理解される。
【００２８】
トラフ側面２２および２４の傾斜角度は必要に応じて広範囲に調節し得ることが理解される。例えば切下げの無い構成が必要である場合は傾斜角度を急角度に選択することができる。
【００２９】
その種の構成は、本発明の第２の実施形態にも見られる。図３および図４にその実施形態の異なった描写が示されている。ここでも基底部トラフ１８は非円形かつ非回転対称形であり、それによって歯１０の位置不動の固定が可能になる。図３により、基底縁面２０がその総延長にわたって±１０％変動幅を伴って実質的に同じ幅であることが示されている。基底部トラフ１８は基底面１６の大きな部分を占め、５０％超の面積を占める。さらに、縁部すなわち基底縁面ならびにトラフ側面２２あるいは２４を外側で取り囲む全歯科材料が、確実な固定を可能にするように寸法設定される。
【００３０】
図４により、トラフ側面２２が図１の実施形態に比べて基底縁面２０に対してより急角度で延在することが理解される。隣接する基底縁面２０に対するトラフ側面２２の角度が約７０°となり、また基底縁面２０に対するトラフ側面２４の角度は約８５°になり、従ってそこで略垂直な延在となる。この解決方式においても、基底面１６は断面において実質的にＳ字形に波打つ。それに応じてトラフ底部２６もその延長に従ってＳ字形に波打ち、基底面１６と平行に延在する。
【００３１】
図５には、本発明に係る基底部鉢形状、すなわち鉢形状に延在する基底部トラフ１８を有する切歯が示されており、平坦なあるいは基底面１６に追随するトラフ底部２６と、それに対して比較的急角度なトラフ側面２２および２４を有する。
【００３２】
基底縁面２０は一周にわたって実質的に同じ幅で延在し、従って基底部トラフ１８が円対称形となる。
【００３３】
図６により、この構成においても比較的大きなトラフ側面２２および３４のトラフ側面角度を有することが示されており、その際基底面１６に対するトラフ側面２２のトラフ側面角度が約６０°となり、トラフ側面２４の角度は９０°となる。
【００３４】
切下げを形成するために、基底部トラフの角度を少なくとも一部において９０°よりも幾らか大きく選択することも原則的に可能である。
【００３５】
ここでも、トラフ底部２６が基底面１６に対して平行に延在し、従って本発明に係る基底部トラフの均一な深さが提供される。
【図１】
2016504081.tif 000003
【図２】
2016504081.tif 000004
【図３】
2016504081.tif 000005
【図４】
2016504081.tif 000006
【図５】
2016504081.tif 000007
【図６】
2016504081.tif 000008
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
トラフ側面（２２，２４）を伴ったトラフ（１８）を有する歯の基底面（１６）を備えていて前記トラフ（１８）を前記基底面（１６）に対して適合可能にする、セラミック、複合材、あるいは樹脂から製造される歯であり、前記歯がモールド内で製造可能であり、前記トラフ側面（２２，２４）が隣接する基底面（１６）に向かって少なくとも部分的に４５°超の角度で延在し、さらに前記トラフ（１８）が少なくとも部分的に凸面形に形成されたトラフ底部（２６）を備え、凸面性の半径が前記基底面（１６）の最大延長の少なくとも５０％となることを特徴とする歯。
【請求項２】
トラフ（１８）は実質的に鉢形状かつ特に楕円形あるいは円形に形成され、トラフ底部（２６）が実質的に平坦に形成されるとともに周囲の基底面（１６）に対して窪んでいて実質的にそれに対して平行に延在し、さらに実質的に前記トラフ底部（２６）に対して垂直に延在するトラフ側面（２２，２４）を備えることを特徴とする請求項１記載の歯。
【請求項３】
トラフ側面（２２，２４）が基底面（１６）に向かって少なくとも部分的に６０°あるいは７０°の角度で延在し、その際トラフ底部（２６）に隣接して前記トラフ側面（２２，２４）が少なくとも部分的に６０°あるいは７０°超の角度で、特に略直角に延在することを特徴とする請求項１または２記載の歯。
【請求項４】
少なくとも１面のトラフ側面（２２，２４）が特に所与の保留力を提供するように形成された少なくとも１個の切下げを備え、前記切下げがトラフ側面（２２，２４）上の所与の高さで形成されることを特徴とする請求項１ないし３のいずれかに記載の歯。
【請求項５】
トラフ底部（２６）が空間内で三次元に延在して不連続部分を伴わない面として形成されることを特徴とする請求項１ないし４のいずれかに記載の歯。
【請求項６】
基底面（１６）とトラフ側面（２２，２４）の間の接続部が中空スロートとして形成され、それがトラフ（１８）の深さより著しく小さく、特に約１０分の１から３分の１である半径を有することを特徴とする請求項１ないし５のいずれかに記載の歯。
【請求項７】
トラフ底部（２６）が実質的に平坦に形成されることを特徴とする請求項１ないし６のいずれかに記載の歯。
【請求項８】
トラフ底部（２６）が波打ち、特にＳ字形に波打って延在し、また前記トラフ底部（２６）ならびに取り囲んだ基底面（１６）の両方が実質的にＳ字形に波打つことを特徴とする請求項１ないし６のいずれかに記載の歯。
【請求項９】
トラフ（１８）の周囲で見てトラフ側面（２２，２４）の高さが実質的に均一であり、特にトラフ（１８）がその延長にわたって両次元において実質的に一定の深さを有することを特徴とする請求項１ないし８のいずれかに記載の歯。
【請求項１０】
トラフ（１８）が基底縁面（２０）によって取り囲まれ、その基底縁面の幅がトラフ（１８）周囲の延長で見て実質的に均一になることを特徴とする請求項１ないし９のいずれかに記載の歯。
【請求項１１】
トラフ（１８）が基底縁面（２０）によって取り囲まれ、その基底縁面の幅がトラフ（１８）周囲の延長で見て平均幅の約４０％と平均幅の約２００％の間、好適には７５ないし１５０％の間で変動することを特徴とする請求項１ないし９のいずれかに記載の歯。
【請求項１２】
トラフ（１８）の最小幅がそのトラフの深さに略相当していて特に約１ｍｍとなるか、またはその深さを３０％下回るかあるいは上回るものとなることを特徴とする請求項１ないし１１のいずれかに記載の歯。
【請求項１３】
トラフ（１８）が基底縁面（２０）によって取り囲まれ、その基底縁面の幅がトラフ（１８）の半径方向に見てトラフの半径より小さくなり、その際その幅が臼歯の場合トラフ（１８）の周囲延長にわたって変動することを特徴とする請求項１ないし９のいずれかに記載の歯。
【請求項１４】
トラフが基底縁面（２０）によって取り囲まれ、その基底縁面の幅がトラフ（１８）の半径方向に見てトラフの半径より小さくなり、その際その幅が切歯の場合トラフ（１８）の周囲延長にわたって実質的に不変であることを特徴とする請求項１ないし１０のいずれかに記載の歯。
【請求項１５】
トラフ（１８）が基底面（１６）のうち少なくとも歯の容積の２０分の１に相当する容積を除外することを特徴とする請求項１ないし１４のいずれかに記載の歯。
【請求項１６】
トラフ（１８）がそれのトラフ中央部をもって実質的に基底面（１６）の中央に配置され、基底面（１６）の縁部に対して約０．８ないし１．５ｍｍの一定形状の縁部距離を有することを特徴とする請求項１ないし１５のいずれかに記載の歯。
【請求項１７】
相互に適応するがそれぞれ異なった大きさを有する請求項１ないし１６のいずれかに記載の歯から形成される歯セット。
【請求項１８】
歯セット内でトラフ直径が多様であってそれぞれ存在する歯の大きさに適応し、従って基底縁面（２０）の幅が実質的に均一であることを特徴とする請求項１７記載の歯セット。
【国際調査報告】
2016504081.tif 000009
2016504081.tif 000010
2016504081.tif 000011
2016504081.tif 000012
2016504081.tif 000013
2016504081.tif 000014